(57)【要約】【課題】動画撮影中における静止画撮影時のレリーズ音の発生を防止する。【解決手段】動画ボタン１２を操作して動画撮影開始／終了を指示する。レリーズボタン１０２を動画撮影中に操作することで静止画撮影も同時に行える。制御部１９は、動画撮影開始の操作に応答して撮影部２１と記録部２２とを制御して動画撮影と動画の記録とを開始する。これと同時にドライバ１８を制御してソレノイド１６によりプランジャ１６ａを突出して制限部材１５を挿入位置に移動させる。制限部材１５は、挿入位置に移動することでレリーズボタン１０２の下に入り込んで全押し位置への移動を制限する。動画撮影中は、レリーズボタン１０２の半押し操作が静止画撮影の指示となる。【選択図】図２
2012159592.tif 000002
【特許請求の範囲】
【請求項１】
半押し位置に操作されることで静止画撮影準備動作を実行する信号を送出し、全押し位置に操作されることで静止画撮影動作を実行する信号を送出する第１の操作手段を備えた動画撮影可能な撮像装置において、
動画撮影中の前記第１の操作手段の全押し位置への移動を制限する制限手段を備えたことを特徴とする撮像装置。
【請求項２】
請求項１記載の撮像装置において、
動画撮影動作の開始又は終了を実行する信号を送出する第２の操作手段と、
前記第２の操作手段による動画撮影動作開始の操作に応答して、前記第１の操作手段の全押し位置への移動を制限する挿入位置に前記制限手段を移動させる移動手段と、
を備えたことを特徴とする撮像装置。
【請求項３】
請求項１記載の撮像装置において、
動画撮影モードを含む複数の撮影モードの中から任意の撮影モードを選択する第３の操作手段と、
前記第３の操作手段による動画撮影モードの選択に応答して、前記制限手段を前記挿入位置に移動させる移動手段と、
を備えたことを特徴とする撮像装置。
【請求項４】
請求項１ないし３いずれか１項に記載の撮像装置において、
被写体光を光電変換する撮像素子を有し被写体像を撮影する撮影手段と、
動画撮影中は前記第１の操作手段の半押し位置への操作に応答して静止画を撮影するように前記撮影手段を制御する制御手段と、
を備えたことを特徴とする撮像装置。
【請求項５】
第１の操作手段の半押し位置への操作に応答して静止画撮影準備動作を実行し、前記大１の操作手段の全押し位置への操作に応答して静止画撮影動作を実行する撮像方法において、
動画撮影中の前記第１の操作手段の全押し位置への移動を制限し、動画撮影中は前記第１の操作手段の半押し位置への操作に応答して静止画撮影動作を実行することを特徴とする撮像方法。
【請求項６】
請求項５に記載の撮像方法において、
動画撮影動作の開始または終了を実行する第２の操作手段による動画撮影動作開始の操作に応答して、前記第１の操作手段の全押し位置への移動を制限することを特徴とする撮像方法。
【請求項７】
請求項６に記載の撮像方法において、
前記第１の操作手段の全押し位置への移動を制限する挿入位置に制限手段を移動させることを特徴とする撮像方法。
【請求項８】
請求項５に記載の撮像方法において、
動画撮影モードを含む複数の撮影モードの中から任意の撮影モードを選択できる第３の操作手段で動画撮影モードを選択に応答して前記第１の操作手段の全押し位置への移動を制限することを特徴とする撮像方法。
【請求項９】
請求項８に記載の撮像方法において、
前記第１の操作手段の全押し位置への移動を制限する挿入位置に制限手段を移動させることを特徴とする撮像方法。
【発明の詳細な説明】
【技術分野】
【０００１】
本発明は、全ストロークの約半分押し込む半押し位置と全ストローク押し込む全押し位置との２段階で押し込みが可能なレリーズボタンを備えた撮像装置に関する。
【背景技術】
【０００２】
従来から、レリーズボタンを半押し位置まで押し込むことで測距や測光等の静止画撮影準備動作の実行信号（以下、「半押し信号」）を送出し、全押し位置まで押し込むことで静止画撮影動作の実行信号（以下、「全押し信号」）を送出する撮像装置が知られている。このようなレリーズボタンには、全押し位置への押し込み操作（以下、「全押し操作」）時と、半押し位置への押し込み操作（以下、「半押し操作」）時とで異なる操作感覚が得られることが望まれている。
【０００３】
そこで、レリーズボタンを一体型スイッチとレリーズボタン部材とで構成し、一体型スイッチとレリーズボタン部材とを付勢手段により常時当接した状態にすることで、明瞭な操作感覚が得られるレリーズボタン構造が知られている（特許文献１）。一体型スイッチとしては、２段動作タクティルプッシュスイッチ（ダブルアクションスイッチ）が知られている（非特許文献）。
【０００４】
図１６に、ダブルアクションスイッチの構造の一例を示す。ここでは、図１６に示したダブルアクションスイッチを例として、ダブルアクションスイッチ１０１を使用したレリーズボタン１０２を説明する。ボタン部材１００は、指が掛かる表面１００ａが外カバー１０３の開口１０４から露呈されており、バネ等の付勢手段１０５により非押圧位置（初期位置）に向けて付勢されている。またボタン部材１００は、ダブルアクションスイッチ１０１を押し込むための押圧ロッド１０６を持っている。ダブルアクションスイッチ１０１は、外カバー１０３の内側に取り付けられている基板１０７に実装されている。符号１００ｂは、ボタン部材１００の抜け止め爪である。
【０００５】
ダブルアクションスイッチ１０１は、図１７及び図１８に示すように、導電性を有する覆い板１０８と取付台１０９とからなるボックス形状を有している。ボックス内部には、導電性と可撓性とを有する円盤部材１１０と導電性を有する固定接触部群１１２とが設けられている。円盤部材１１０は、図１８に示すようにドーム形状を有する。覆い板１０８の中心部１０８ａは、図１７に示すように、周りを円弧状に切り欠いて弾性自在に形成されている。また覆い板１０８は、図１８に示すように、中心部１０８ａ中央に凸部１０８ｂを有する。固定接触部群１１２は、円盤部材１１０に対向する取付台１０９の底部の外側と中心部に設けられている第１固定接触部１１３と第２固定接触部１１４とからなる。覆い板１０８と円盤部材１１０と固定接触部群１１２とは、それぞれ独立に基板１０７に電気的に接続されている。ただし、円盤部材１１０は、第１固定接触部１１３と常時接触しているため、第１固定接触部１１３と常時電気的に接続している。覆い板１０８は、導電性の材料で形成されており、図示していない基板１０７のコモン接点に接続されている。
【０００６】
ボタン部材１００を半押し操作すると、図１９に示すように、中心部１０８ａが押圧ロッド１０６により矢印１１６方向に押されることで凸部１０８ｂと円盤部材１１０とが接触し、覆い板１０８は円盤部材１１０を介して第１固定接触部１１３と通電する。覆い板１０８と第１固定接触部１１３とが電気的に接続することで、レリーズボタンは半押し信号を送出する。そのままさらにボタン部材１００を押し下げて全押し操作すると、図２０に示すように、円盤部材１１０が凸部１０８ｂにより矢印１１７方向に押され、反り返るように変形あるいは反転する。その結果、円盤部材１１０が第２固定接触部１１４に接触し、覆い板１０８は円盤部材１１０を介して固定接触部群１１２と通電する。覆い板１０８と固定接触部群１１２とが電気的に接続することで、レリーズボタンは全押し信号を送出する。しかし、この全押し操作時に、円盤部材１１０が反り返ることでレリーズボタンの操作感覚が得られるが、第２固定接触部１１４と接触する時に衝撃音が発生する。
【先行技術文献】
【特許文献】
【０００７】
【特許文献１】特開平８−２７８５５６号公報
【特許文献２】特開平１１−５５６１７号公報
【非特許文献】
【０００８】
【非特許文献１】「Panasonic新商品NEWS」、（2002年10月22日）、松下電器産業（株）発行、１頁
【発明の概要】
【発明が解決しようとする課題】
【０００９】
ところで、最近の電子カメラには、動画撮影が行えるものが多い。動画撮影動作は、レリーズボタンの全押し操作により動画撮影開始になり、さらにもう一度、全押し操作することで動画撮影終了になる。しかしながら、レリーズボタンの全押し操作を動画撮影動作の開始／終了の操作に対応づけると、全押し操作の際に上述したような衝撃音が発生するため、動画撮影終了の全押し操作による衝撃音がカメラに搭載されたマイクによって録音されてしまうおそれがある。
【００１０】
また、近年、動画撮影中に静止画撮影が行える撮像装置が知られている（例えば、特許文献３）。このような撮像装置では、例えば、動画撮影中に動画フレームをバッファメモリに記憶する動作を行いながら、静止画撮影の操作に応じて、次の動画フレームを記録する間に静止画を撮影して記録する。つまり、動画撮影処理と静止画撮影処理とを並行して行っている。このような撮像装置でも、静止画撮影動作の実行をレリーズボタンの全押し操作に対応づけすると、動画撮影中に静止画撮影を行うごとに衝撃音が発生し、この衝撃音がカメラに搭載されたマイクによって録音されてしまうおそれがある。
【００１１】
そこで、本発明は、このような事情を鑑みてなされたものであり、動画撮影終了の操作による衝撃音が発生しない撮像装置を提供することを目的とする。また、動画撮影中に静止画撮影の操作による衝撃音が発生しない撮像装置を提供することを目的とする。
【課題を解決するための手段】
【００１２】
本発明に係わる撮像装置は、動画撮影中に第１の操作手段（レリーズボタン）の全押し位置への移動を制限する制限手段を備えたものである。この場合、半押し位置への操作に応答して静止画撮影動作を実行する信号を送出するように構成すればよい。
また、動画撮影動作の開始および終了を実行する信号を送出する第２の操作手段（動画ボタン）と、第２の操作手段（動画ボタン）の動画撮影動作開始の操作に応答して第１の操作手段（レリーズボタン）の全押し位置への移動を制限する制限位置に前記制限手段を移動させる移動手段と、を備えるのが好適である。
【００１３】
さらに、動画撮影モードを含む複数の撮影モードがある場合、任意の撮影モードを選択する第３の操作手段（モード切替操作部）を設けてもよい。この場合、第３の操作手段（モード切替操作部）で動画撮影モードを選択することに応答して制限手段を制限位置に移動させる移動手段を備えればよい。
【００１４】
また、被写体光を光電変換する撮像素子を有し被写体像を撮影する撮影手段と、動画撮影中は第１の操作手段（レリーズボタン）の半押し位置への操作に応答して静止画を撮影するように撮影部とを制御する制御手段と、を備える撮像装置に本発明を適用することができる。
【００１５】
撮像素子が１つである場合、動画撮影中、撮影手段は動画撮影処理と静止画撮影処理とを並行処理するのが好適である。また、撮像素子を複数有する場合、一方の撮像素子で動画撮影を行いながら、他方の撮像素子で静止画撮影を行えばよい。
【００１６】
本発明の撮像方法によれば、動画記録に応答して第１の操作手段（レリーズボタン）の全押し位置への移動を制限し、動画記録中は第１の操作手段（レリーズボタン）の半押し位置への操作に応答して静止画撮影動作を実行するものである。第１の操作手段（レリーズボタン）の全押し位置への移動を制限する方法として、前述したように、第２の操作手段（動画ボタン）の動画撮影動作開始の操作を行った時に、あるいは第３の操作手段（モード選択操作部）で動画撮影モードを選択した時に制限手段による制限を行う方法をとればよい。
【発明の効果】
【００１７】
本発明によれば、動画撮影中にレリーズボタンの全押し位置への移動を制限するため、動画撮影終了の操作による衝撃音が発生せず、衝撃音の記録を確実に防止することができる。また、動画撮影中に静止画撮影の操作による衝撃音が発生せず、衝撃音の記録を確実に防止することができる。
【図面の簡単な説明】
【００１８】
【図１】本発明に係わる第１実施形態の電子カメラにおいて、動画撮影の開始／終了を実行する動画ボタンを有する電子カメラの外観を示す斜視図である。
【図２】本発明に係わる第１実施形態の電子カメラにおいて、動画ボタン、レリーズボタン、及び退避位置にある制限部材等の位置関係を示す断面図である。
【図３】本発明に係わる第１実施形態の電子カメラにおいて、制限部材が制限位置に移動した状態を示す断面図である。
【図４】制限部材が退避位置に移動した状態におけるレリーズボタンの押し位置（非押圧位置、半押し位置、全押し位置）を示す断面図である。
【図５】制限部材が制限位置に移動した状態におけるレリーズボタンの押し位置（非押圧位置、半押し位置）を示す断面図である。
【図６】本発明に係わる第１実施形態の電子カメラにおいて、電子カメラの動作手順を示すフローチャートである。
【図７】本発明に係わる第２実施形態の電子カメラにおいて、撮影モードを選択するモードダイヤルを有する電子カメラの外観を示す斜視図である。
【図８】本発明に係わる第２実施形態の電子カメラにおいて、動画ボタン、レリーズボタン、退避位置にある制限部材、モードダイヤル等の位置関係を示す断面図である。
【図９】本発明に係わる第２実施形態の電子カメラにおいて、制限部材が退避位置に移動した状態を電子カメラ上面から見た図である。
【図１０】本発明に係わる第２実施形態の電子カメラにおいて、制限部材が制限位置に移動した状態を示す断面図である。
【図１１】本発明に係わる第２実施形態の電子カメラにおいて、制限部材が制限位置に移動した状態を電子カメラ上面から見た図である。
【図１２】本発明に係わる第２実施形態の電子カメラにおいて、電子カメラの動作手順を示すフローチャートである。
【図１３】本発明に係わる第３実施形態の電子カメラにおいて、動画撮影と静止画撮影とを個別に行う。電子カメラの外観を示す斜視図である。
【図１４】本発明に係わる第４実施形態の電子カメラにおいて、撮影モードを選択するモード選択スイッチを有する電子カメラの外観を示す斜視図である。
【図１５】本発明に係わる第４実施形態の電子カメラにおいて、動画ボタン、レリーズボタン、制限部材、モード選択スイッチ等の位置関係を示す断面図である。
【図１６】従来のレリーズボタンの構造を示す断面図である。
【図１７】ダブルアクションスイッチを示す斜視図である。
【図１８】ダブルアクションスイッチを示す断面図である。
【図１９】レリーズボタンを半押し操作した状態におけるダブルアクションスイッチを示す断面図である。
【図２０】レリーズボタンを全押し操作した状態におけるダブルアクションスイッチを示す断面図である。
【発明を実施するための形態】
【００１９】
＜第１実施形態＞
電子カメラ１０は、図１に示すように、レリーズボタン１０２と動画ボタン１２とが電子カメラ１０のボディ上面１３に並設されている。電子カメラ１０は、静止画のみを撮影する時には、レリーズボタン１０２の半押し操作に応答して測距や測光等の静止画撮影準備動作を実行し、全押し操作に応答して静止画撮影動作を実行する。動画ボタン１２は、一段押しタイプの押しボタンスイッチであり、最初の押込み操作で動画撮影開始、さらにもう一度の押込み操作で動画撮影終了となる。なお、レリーズボタン１０２と動画ボタン１２とは、電子カメラ１０のボディ上面１３に限らずボディ背面もしくは側面に設けても良い。また、レリーズボタン１０２と動画ボタン１２とは、並設されていなくともよい。
【００２０】
電子カメラ１０は、動画撮影開始のための動画ボタン１２の操作に応答して、詳しくは後述する制限部材がレリーズボタン１０２の全押し位置への移動を制限する。したがって、電子カメラ１０は、動画撮影中、レリーズボタン１０２の半押し操作に応答して静止画撮影を実行するよう構成されている。
【００２１】
レリーズボタン１０２は、図２に示すように、ボタン部材１００とダブルアクションスイッチ１０１とで構成されている。なお、レリーズボタン１０２等の構成は、従来技術で説明したものと同じ構成であるため、ここでは同符号を付与して詳しい説明を省略する。基板２０には、ダブルアクションスイッチ１０１及び、動画ボタン１２のスイッチ２６、ソレノイド１６等が実装されている。
【００２２】
ボタン部材１００の下には、レリーズボタン１０２の全押し位置への移動を制限する制限部材１５が配されている。制限部材１５は、制限位置と退避位置との間で移動自在に設けられている。制限位置では、ボタン部材１００のストローク軌跡内に入り込んでボタン部材１００の全押し位置への移動を阻止する。退避位置では、ストローク軌跡から脱してボタン部材１００の全押し位置への移動を許容する。
【００２３】
また、電子カメラ１０は、図２に示すように、被写体光を光電変換する撮像素子を有し被写体像を撮影する撮影部２１の動作と、ソレノイド１６の動作を制御する制御部１９を有している。制御部１９は動画ボタンの操作に応答して、撮影部２１の動作、記録部２２の動作、およびソレノイド１６の動作を制御する。なお、ソレノイド１６は、ドライバ１８を介して制御部１９により非通電状態／通電状態に制御される。
【００２４】
制限部材１５には、ソレノイド１６のプランジャ１６ａ先端が係合している。ソレノイド１６は、非通電状態の時にはバネ等の付勢手段１７の付勢によりプランジャ１６ａをコイル部１６ｂ内に引き込んで制限部材１５を退避位置に保持している。
【００２５】
動画撮影開始のために動画ボタン１２が操作されると、制御部１９は動画ボタン１２からの動画撮影開始の信号に応答して、ドライバ１８を介してソレノイド１６を通電状態にする。通電状態になると、図３に示すように、ソレノイド１６は、プランジャ１６ａを突出して付勢手段１７の付勢に抗して制限部材１５を制限位置に移動させる。
【００２６】
制限部材１５には、図４に示すように、退避位置のときにボタン部材１００の抜け止め爪１００ｂが入り込む開口２３と、図５に示すように、制限位置のときに抜け止め爪１００ｂの下方に入り込んで半押し位置までの移動を許容し、かつ全押し位置への移動を制限する制限部２４とが設けられている。なお、制御部１９、ソレノイド１６、及びドライバ１８等が本発明の移動手段に相当する。
【００２７】
また、動画撮影開始のために動画ボタン１２が操作されると、制御部１９は動画ボタン１２からの動画撮影開始の信号に応答して、撮影部２１の動作をレリーズボタン１０２の半押し操作で静止画撮影準備動作（測距、測光等）を実行し、さらにその後、静止画撮影操作を実行するよう、撮影部２１の動作を制御する。
【００２８】
動画撮影終了のために動画ボタン１２が操作されると、制御部１９は動画ボタン１２からの動画撮影終了の信号に応答して、ドライバ１８を介してソレノイド１６を非通電状態にする。非通電状態になると、上述したように、制限部材１５は退避位置に移動する。なお、本実施形態では、撮影部２１および記録部２２を制御する制御部と、ソレノイド１６を制御する制御部とは、同一の制御部１９であるが、これに限らない。
【００２９】
次に、本実施形態本実施形態における電子カメラ１０の動作を説明する。図６は、本実施形態における電子カメラ１０の動作手順を示すフローチャートである。以下、図６が示すフローチャートを用いて、電子カメラ１０の動作手順について説明する。なお、この図は、ソレノイド１６の非通電状態を電子カメラ１０の通常の状態としている。したがって、例えば、電子カメラ１０の電源をオンにした時は、制限部材１５は退避位置に保持されている。
【００３０】
ステップＳ１において、動画ボタン１２を１回押圧する操作が行われるとステップＳ２に進む。動画ボタン１２が押圧操作されなかった場合はステップＳ９に進む。
【００３１】
ステップＳ２において、制御部１９がソレノイド１６を制御して制限部材１５を制限位置に移動させる。これにより、ボタン部材１００の半押し位置までの移動が許容され、全押し位置への移動が阻止される。また、制御部１９は、動画撮影中は、レリーズボタン１０２から得られる半押し信号に応答して静止画撮影動作を実行するよう撮影部２１を制御する。
【００３２】
ステップＳ３において、制御部１９が撮影部２１と記録部２２とを制御して動画撮影と動画記録を開始する。なお、動画ボタン１２で動画撮影開始の操作を行うと同時に、制限部材１５を制限位置に移動させせるようにしても良い。
【００３３】
ステップＳ４において、レリーズボタン１０２の半押し操作が行われるとステップＳ５に進み、ステップＳ５において、静止画撮影動作が実行される。ステップＳ４において、レリーズボタン１０２の半押し操作が行われなかった場合、ステップＳ６に進む。
【００３４】
ステップＳ６において、動画ボタン１２が再度押圧操作されるとステップＳ７に進み、ステップＳ７において、制御部１９が撮影部２１と記録部２２とを制御して動画撮影と動画記録を終了する。動画ボタン１２が押圧操作されなかった場合はステップＳ４に進む。
【００３５】
ステップＳ８において、制御部１９がソレノイド１６を制御して制限部材１５を退避位置に移動させる。これにより、ボタン部材１００の全押し位置までの移動が許容される。また、制御部１９は、レリーズボタン１０２から得られる半押し信号に応答して静止画撮影準備動作、全押し信号に応答して静止画撮影動作を実行するよう撮影部２１を制御する。なお、動画ボタン１２で動画撮影終了の操作を行うと同時に、制限部材１５を退避位置に移動させせるようにしても良い。
【００３６】
ステップＳ９において、レリーズボタン１０２の半押し操作が行われるとステップＳ１０に進み、ステップＳ１０において、静止画撮影準備動作（測距・測光）が実行される。ステップＳ９において、レリーズボタン１０２の半押し操作が行われなかった場合はステップＳ１に進む。
【００３７】
ステップＳ１１において、レリーズボタン１０２の全押し操作が行なわれるとステップＳ１２に進み、ステップＳ１２において、静止画撮影動作が実行される。ステップＳ１１において、レリーズボタン１０２の全押し操作が行われなかった場合はステップＳ１に進む。
【００３８】
以降は、電子カメラ１０の電源がオフされるまでステップＳ１からステップＳ１２の動作手順を繰り返す。
【００３９】
＜第２実施形態＞
次に、動画ボタン１２及びレリーズボタン１０２に加えて、モード切替操作部としてモードダイヤルを備えた別の実施形態の電子カメラ３０について説明する。なお、本実施形態に係わる電子カメラの構成は、モードダイヤル周辺の構成以外は第１実施形態と同様であるため、ここでは同符号を付与して詳しい説明を省略する。
【００４０】
電子カメラ３０には、図７に示すように、モードダイヤル３１が動画ボタン１２やレリーズボタン１０２に並べて設けられている。モードダイヤル３１は、静止画撮影モードや動作撮影モード等の複数の撮影モードのうちから１つの撮影モードを選択するダイヤル式のモード切替操作部である。
【００４１】
モードダイヤル３１には、図８及び図９に示すように、外カバー２７の内部にカム部材３２が取り付けられている。カム部材３２には、制限用カム面３２ａと退避用カム面３２ｂとが形成されている。退避用カム面３２ｂは、モードダイヤル３１が静止画撮影モードを選択する回転位置の時に、制限部材１５の退避位置への移動を許容する。制限用カム面３２ａは、図１０及び図１１に示すように、モードダイヤル３１が動画撮影モードを選択する回転位置の時に、制限部材１５を制限位置に移動させる。
【００４２】
制限部材１５は、第１実施形態で説明したのと同様に、制限位置と退避位置との間で移動自在に設けられており、付勢手段３３により退避位置に向けて付勢されている。基板３４には、ストッパ３５が設けられている。ストッパ３５は、制限部材１５を付勢手段３３の付勢に抗して退避位置に保持する。カム部材３２は、モードダイヤル３１が静止画撮影モードと動画撮影モードとの間の回転区間のみにカム面が形成され、それ以外の回転域にはカム面が形成されていない形状をしている。しかし、カム面がない回転区間は、ストッパ３５が制限部材１５を退避位置に保持するので問題はない。なお、退避用カム面３２ｂを省略してもよい。また、ストッパ３５を省略して退避用カム面３２ｂを制御用カム面３２ａ以外の全周に設けても良い。
【００４３】
モードダイヤル３１が動画撮影モード以外を選択している時には、図８に示すように、ストッパ３５あるいは退避用カム面３２ｂが付勢手段３３の付勢に抗して制限部材１５を退避位置に保持している。このとき、例えば静止画撮影モードを選択している場合、レリーズボタン１０２は、半押し操作に応答して半押し信号を送出し、全押し操作に応答して全押し信号を送出する。制御部１９は、半押し信号に応答して測距（オートフォーカス）・測光（露出制御）を行い、全押し信号に応答して撮影部２１と記録部２２とを制御して静止画撮影動作を実行する。
【００４４】
次に、本実施形態本実施形態における電子カメラ３０の動作を説明する。図１２は、本実施形態における電子カメラ３０の動作手順を示すフローチャートである。以下、図１２が示すフローチャートを用いて、電子カメラ３０の動作手順について説明する。
【００４５】
ステップＳ１において、モードダイヤル３１を回転操作して動画撮影モードを選択すると、制限用カム面３２ａが制限部材１５を付勢手段３３の付勢に抗して制限位置に移動させる。これにより、ボタン部材１００の半押し位置までの移動が許容され、全押し位置への移動が阻止される。また、制御部１９は、動画撮影中は、レリーズボタン１０２から得られる半押し信号に応答して静止画撮影動作を実行するよう撮影部２１を制御する。
【００４６】
ステップＳ２において、動画ボタン１２を1回押圧する操作が行われると、ステップＳ３において、制御部１９が撮影部２１と記録部２２とを制御して動画撮影と動画記録を開始する。ステップＳ２において、動画ボタン１２の押圧操作が行われなかった場合、ステップＳ４に進む。
【００４７】
ステップＳ４において、レリーズボタン１０２の半押し操作が行われるとステップＳ５に進み、ステップＳ５において、静止画撮影動作が実行される。ステップＳ４において、レリーズボタン１０２の半押し操作が行われなかった場合、ステップＳ６に進む。
【００４８】
ステップＳ６において、動画ボタン１２を再度押圧する操作が行われるとステップＳ７に進み、ステップＳ７において、制御部１９が撮影部２１と記録部２２とを制御して動画撮影と動画記録を終了する。動画ボタン１２が押圧操作されなかった場合はステップＳ４に進む。
【００４９】
ステップＳ８において、モードダイヤル３１を動画撮影モード以外のモードに選択操作することで、制限部材１５は、付勢手段３３の付勢により退避位置に戻される。これにより、ボタン部材１００の全押し位置への移動が許容される。ステップＳ８において、動画撮影モード以外のモードに選択操作されなかった場合、ステップＳ２に進む。
【００５０】
ステップＳ９からステップＳ１３の動作手順は、第１実施形態の図６で説明した動作手順と同様であるので、詳細な説明は省略する。ステップＳ１２以降は、電子カメラ３０の電源がオフされるまでステップＳ１からステップＳ１２の動作手順を繰り返す。
【００５１】
＜第３実施形態＞
次に、図１３に他の実施形態の電子カメラ４０を示す。電子カメラ４０は、レリーズボタン１０２とモードダイヤル３１とが設けられており、動画ボタンが省略されている。したがって、動画と静止画とを別々に撮影するタイプ、つまり動画撮影中には静止画撮影が行えないタイプの電子カメラ４０である。
【００５２】
このタイプの電子カメラ４０では、レリーズボタン１０２の全押し操作で動画撮影開始／終了を行うと、動画撮影終了時に生じる衝撃音が記録されるおそれがある。そこで、衝撃音の記録を防止するために、図８で説明したと同じ機構を用いる。したがって、モードダイヤル３１を動画撮影モードに選択すると制限部材１５が制限位置に移動する。その後は、動画撮影開始／終了の操作をレリーズボタン１０２の半押し操作で行う。これにより、動画撮影終了時に生じる衝撃音が記録されることがない。
【００５３】
＜第４実施形態＞
なお、図７で説明した実施形態では、モードダイヤル３１を回転式として説明しているが、本発明では回転式に限らず、周知の機能のものであればいずれも使用することができる。例えば図１４、及び図１５に示す電子カメラ５０では、スライド式のモード選択スイッチ５１が設けられている。モード選択スイッチ５１は、静止画撮影モードを選択する位置と動画撮影モードを選択する位置との間でスライド操作される。
【００５４】
モード選択スイッチ５１には、外カバー２７の内部で制限部材１５に連結部材５２により連結されている。動画撮影モードを選択する位置に移動することで制限部材１５を制限位置に移動し、静止画撮影モードを選択する位置に移動することで制限部材１５を退避位置に移動する。
【００５５】
なお、モード選択操作部としては、ボディ上面１３や背面等に設けたＬＣＤ等の表示部に複数の撮影モードを表示し、十字キーなどの操作部の操作によりいずれか一つの撮影モードを選択するソフト的な操作部が知られている。この場合には、制御部１９が動画撮影モードの選択に応答して、図２で説明したソレノイド１６を通電して制限部材１５を制限位置に移動させるように構成すればよい。
【００５６】
上記各実施形態では、２段階の押し込みが可能なレリーズボタンについて説明しているが、３段階の押し込みが可能なレリーズボタンを用いても良い。このレリーズボタンとしては、例えば初期状態では、押し込みストロークの浅い順に１段目への押圧操作でカメラ電子回路と露出計をオンし、２段目への押圧操作で絞り設定、及び測光動作と測距動作を行い、３段目への押圧操作でシャッターレリーズする。この場合、動画撮影中に、制限手段でレリーズボタンが３段目に移動することを制限して衝撃音が記録されないようにすればよい。そして、レリーズボタンの２段目への操作に応答して静止画撮影動作を実行すればよい。この場合、レリーズボタンの１段目への押圧操作に応答して絞り優先モード、及びＡＥロックを行えばよい。
【産業上の利用可能性】
【００５７】
上記各実施形態では、本発明を電子カメラに使用した例として説明しているが、本発明ではこれに限らず、本発明をビデオカメラやカメラ付き携帯電話等の撮影装置に使用することができるのは言うまでもない。
【符号の説明】
【００５８】
１０，３０，４０，５０  電子カメラ
１２  動画ボタン
１５  制限部材
１６  ソレノイド
３１  モードダイヤル
１００  ボタン部材
５１  モード選択スイッチ
１０１  ダブルアクションスイッチ
１０２  レリーズボタン
【図１】
2012159592.tif 000003
【図２】
2012159592.tif 000004
【図３】
2012159592.tif 000005
【図４】
2012159592.tif 000006
【図５】
2012159592.tif 000007
【図６】
2012159592.tif 000008
【図７】
2012159592.tif 000009
【図８】
2012159592.tif 000010
【図９】
2012159592.tif 000011
【図１０】
2012159592.tif 000012
【図１１】
2012159592.tif 000013
【図１２】
2012159592.tif 000014
【図１３】
2012159592.tif 000015
【図１４】
2012159592.tif 000016
【図１５】
2012159592.tif 000017
【図１６】
2012159592.tif 000018
【図１７】
2012159592.tif 000019
【図１８】
2012159592.tif 000020
【図１９】
2012159592.tif 000021
【図２０】
2012159592.tif 000022